(57)【特許請求の範囲】
【請求項１】
赤、緑、青、及び白の４つの画素により１つの絵素を構成する表示素子を、供給された赤、緑、青の３色の階調データＤR，ＤG，ＤBに基づいて赤、緑、青、白の４つの画素にそれぞれ供給する４つの駆動階調値Ｄ'R，Ｄ'G，Ｄ'B，Ｄ'Wを生成して各画素に供給することによって駆動する駆動方法において、
前記４つの駆動階調値Ｄ'R，Ｄ'G，Ｄ'B，Ｄ'Wは、
階調データＤR，ＤG，ＤBがすべて０のときは、すべて０とし、
階調データＤR，ＤG，ＤBがすべて０のとき以外のとき、
駆動階調値Ｄ'Rは、
ＤR{１＋ｔＲmin（ＬmaxR＋ＬmaxG＋ＬmaxB）／（ＲRＬmaxR＋ＲGＬmaxG＋ＲBＬmaxB）}−Ｃ'ＬmaxW／（ＬmaxR＋ＬmaxG＋ＬmaxB）、
を整数化した値に、
駆動階調値Ｄ'Gは、
ＤG{１＋ｔＲmin（ＬmaxR＋ＬmaxG＋ＬmaxB）／（ＲRＬmaxR＋ＲGＬmaxG＋ＲBＬmaxB）}−Ｃ'ＬmaxW／（ＬmaxR＋ＬmaxG＋ＬmaxB）、
を整数化した値に、
駆動階調値Ｄ'Bは、
ＤB{１＋ｔＲmin（ＬmaxR＋ＬmaxG＋ＬmaxB）／（ＲRＬmaxR＋ＲGＬmaxG＋ＲBＬmaxB）}−Ｃ'ＬmaxW／（ＬmaxR＋ＬmaxG＋ＬmaxB）、
を整数化した値に、
駆動階調値Ｄ'Wは、Ｃ'を整数化した値に設定され、
前記設定に基づいて算出された駆動階調値Ｄ'R，Ｄ'G，Ｄ'B，Ｄ'Wをそれぞれの画素に供給する、
ただし、ＬmaxR，ＬmaxG，ＬmaxB，ＬmaxWは、Ｒ，Ｇ，Ｂ，Ｗの画素それぞれの最大階調値の輝度であり、
ＲR、ＲG、ＲB、は、それぞれＲ，Ｇ，Ｂの各画素へ各階調データＤR，ＤG，ＤBに対応する電圧を印加したときの輝度である階調データ輝度をＬR，ＬG，ＬBとしたときに、ＲR＝ＬR／ＬmaxR，ＲG＝ＬG／ＬmaxG，ＲB＝ＬB／ＬmaxBを満たす階調データ輝度ＬR，ＬG，ＬBの階調データ輝度率であり、
階調データＤR，ＤG，ＤBは、それぞれ階調データ輝度ＬR，ＬG，ＬBに比例し、
Ｒminは、階調データ輝度率ＲR，ＲG，ＲBのうちの最小値であり、
tは０より大きく、ＬmaxW／（ＬmaxW＋ＬmaxG＋ＬmaxB）以下の範囲の予め定めた任意の実数値であり、
Ｃ'は、
ＤR{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤG{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤB{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
のうちの、最も小さい値をＤ'minとするとき、
Ｄ'minがＤf以下の場合は、その値とし、
Ｄ'minがＤfより大きい場合は、Ｄfの値とし、
Ｄfは、Ｒ，Ｇ，Ｂの各画素の最大階調値である、
ことを特徴とする表示素子の駆動方法。
【発明の詳細な説明】
【技術分野】
【０００１】
この発明は、三原色及び白の各色１つずつの４つの画素を１単位とする複数の表示要素によりカラー画像を表示する液晶表示素子の駆動方法に関する。
【背景技術】
【０００２】
従来、カラー液晶表示素子（以下、３色画素表示素子という）は、赤、緑、青の３色の画素により１つの表示要素を構成し、１つの色を定義するために入力された赤、緑、青の３色の階調データに応して、前記３色の階調データに対応する赤、緑、青の３色のデータ信号を前記赤、緑、青の３色の画素にそれぞれ供給することにより駆動されている。
この３色画素表示素子に対して、明るい画像を表示するために、例えば赤、緑、青の三原色及び白の４色の複数の画素が交互にマトリックス状に配列させて形成され、互いに隣合う赤、緑、青及び白の各色１つずつの４つの画素を１単位とする複数の表示要素によりカラー画像を表示する液晶表示素子が提案されている（特許文献１参照）。
【０００３】
この液晶表示素子は、赤、緑、青色の画素に白色の画素を加えた４色の画素により１つの表示要素を構成しているため、画面を明るくすることができる。
【０００４】
前記赤、緑、青及び白の４色の画素により１つの表示要素を構成した液晶表示素子は、入力された赤、緑、青の３色の階調データに基づいて、これらの３色の階調データのうちの最小値の階調データからバイアス値を演算により定めてその値を白色画素の駆動階調データとし、前記入力された赤、緑、青の３色の階調データからそれぞれ前記白色画素の駆動階調データの階調値を減算して赤、緑、青の３色の画素それぞれの駆動階調データを求め、これらの駆動階調データにそれぞれ対応した赤、緑、青及び白の４色のデータ信号を赤、緑、青及び白の４色の画素にそれぞれ供給する方法で駆動されている（特許文献２参照）。
【０００５】
【特許文献１】特開平１−２５９３９６号公報
【０００６】
【特許文献２】特開平４−１３０３９５号公報
【発明の開示】
【発明が解決しようとする課題】
【０００７】
しかし、前記赤、緑、青及び白の４色の画素により１つの表示要素を構成した液晶表示素子（以下、４色画素表示素子という）を上記従来の駆動方法で駆動する液晶表示装置は、入力された赤、緑、青の３色の階調データに対応した色再現性の良いカラー画像を表示することができない。
【０００８】
前記４色画素表示素子を上記従来の駆動方法で駆動する液晶表示装置は、入力された赤、緑、青の３色の階調データの階調値が互いに異なるとき、つまり前記赤、緑、青の３色の階調データが、赤、緑、青の３色を互いに異なる比率で混色させた中間色を定めたデータであるときに、前記４色画素表示素子による表示色に、従来の３色画素表示素子の表示色に対する色ずれが生じる。
【０００９】
この発明は、三原色及び白の４色の画素により１つの表示要素を構成した液晶表示素子に、入力された三原色の階調データに対応した色再現性の良いカラー画像を表示させることができる駆動方法を提供することを目的としたものである。
【課題を解決するための手段】
【００１１】
請求項１記載の液晶表示素子の駆動方法は、
赤、緑、青、及び白の４つの画素により１つの絵素を構成する表示素子を、供給された赤、緑、青の３色の階調データＤR，ＤG，ＤBに基づいて赤、緑、青、白の４つの画素にそれぞれ供給する４つの駆動階調値Ｄ'R，Ｄ'G，Ｄ'B，Ｄ'Wを生成して各画素に供給することによって駆動する駆動方法において、
前記４つの駆動階調値Ｄ'R，Ｄ'G，Ｄ'B，Ｄ'Wは、
階調データＤR，ＤG，ＤBがすべて０のときは、すべて０とし、
階調データＤR，ＤG，ＤBがすべて０のとき以外のとき、
駆動階調値Ｄ'Rは、
ＤR{１＋ｔＲmin（ＬmaxR＋ＬmaxG＋ＬmaxB）／（ＲRＬmaxR＋ＲGＬmaxG＋ＲBＬmaxB）}−Ｃ'ＬmaxW／（ＬmaxR＋ＬmaxG＋ＬmaxB）、
を整数化した値に、
駆動階調値Ｄ'Gは、
ＤG{１＋ｔＲmin（ＬmaxR＋ＬmaxG＋ＬmaxB）／（ＲRＬmaxR＋ＲGＬmaxG＋ＲBＬmaxB）}−Ｃ'ＬmaxW／（ＬmaxR＋ＬmaxG＋ＬmaxB）、
を整数化した値に、
駆動階調値Ｄ'Bは、
ＤB{１＋ｔＲmin（ＬmaxR＋ＬmaxG＋ＬmaxB）／（ＲRＬmaxR＋ＲGＬmaxG＋ＲBＬmaxB）}−Ｃ'ＬmaxW／（ＬmaxR＋ＬmaxG＋ＬmaxB）、
を整数化した値に、
駆動階調値Ｄ'Wは、Ｃ'を整数化した値に設定され、
前記設定に基づいて算出された駆動階調値Ｄ'R，Ｄ'G，Ｄ'B，Ｄ'Wをそれぞれの画素に供給する、
ただし、ＬmaxR，ＬmaxG，ＬmaxB，ＬmaxWは、Ｒ，Ｇ，Ｂ，Ｗの画素それぞれの最大階調値の輝度であり、
ＲR、ＲG、ＲB、は、それぞれＲ，Ｇ，Ｂの各画素へ各階調データＤR，ＤG，ＤBに対応する電圧を印加したときの輝度である階調データ輝度をＬR，ＬG，ＬBとしたときに、ＲR＝ＬR／ＬmaxR，ＲG＝ＬG／ＬmaxG，ＲB＝ＬB／ＬmaxBを満たす階調データ輝度ＬR，ＬG，ＬBの階調データ輝度率であり、
階調データＤR，ＤG，ＤBは、それぞれ階調データ輝度ＬR，ＬG，ＬBに比例し、
Ｒminは、階調データ輝度率ＲR，ＲG，ＲBのうちの最小値であり、  
tは０より大きく、ＬmaxW／（ＬmaxW＋ＬmaxG＋ＬmaxB）以下の範囲の予め定めた任意の実数値であり、
Ｃ'は、
ＤR{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤG{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤB{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
のうちの、最も小さい値をＤ'minとするとき、
Ｄ'minがＤf以下の場合は、その値とし、
Ｄ'minがＤfより大きい場合は、Ｄfの値とし、
Ｄfは、Ｒ，Ｇ，Ｂの各画素の最大階調値である、
ことを特徴とする。
【発明の効果】
【００１２】
この発明の駆動方法によれば、色再現性の良いカラー画像を表示させることができる。
【発明を実施するための最良の形態】
【００１３】
図１は液晶表示装置の構成図であり、この液晶表示装置は、加法混色における赤、緑、青の三原色及び白の４色の複数の画素１３Ｒ，１３Ｇ，１３Ｂ，１３Ｗ（図２参照）が交互にマトリックス状に配列させて形成された液晶表示素子１と、前記液晶表示素子１を前記三原色（赤、緑、青の３色）の階調データに基づいて駆動する駆動手段１５とにより構成されている。
【００１４】
図２は前記液晶表示素子１の一部分の断面図であり、この液晶表示素子１は、予め定めた間隙を設けて対向配置された一対の透明基板２，３と、これらの基板２，３間の間隙に封入された液晶層４と、前記一対の基板２，３の一方、例えば観察側（図において上側）とは反対側の基板２の内面に、行方向（画面の左右方向）及び列方向（画面の上下方向）にマトリックス状に配列させて形成された複数の透明な画素電極５と、他方の基板、つまり観察側の基板３の内面に、前記複数の画素電極５の配列領域に対応させて形成された一枚膜状の透明な対向電極６と、前記一対の基板２，３の外面にそれぞれ配置された一対の偏光板１２，１３とからなっている。
【００１５】
この液晶表示素子１は、ＴＦＴ（薄膜トランジスタ）を能動素子としたアクティブマトリックス液晶表示素子であり、図１では省略しているが、前記複数の画素電極５が形成された反対側基板２の内面に、前記複数の画素電極５にそれぞれ対応させて配置され、これらの画素電極５にそれぞれ接続された複数のＴＦＴと、各行のＴＦＴにゲート信号を供給するための複数の走査線と、各列のＴＦＴにデータ信号を供給するための複数のデータ線とが設けられている。
【００１６】
この液晶表示素子１は、その観察側とは反対側に配置された図示しない面光源から照射された光の透過を制御して画像を表示するものであり、前記複数の画素電極５と前記対向電極６とが互いに対向する領域により、前記データ信号の供給、つまり前記電極５，６間への前記データ信号に対応した電圧の印加により前記液晶層４の液晶分子の配向状態を変化させて光の透過を制御する複数の画素１３Ｒ，１３Ｇ，１３Ｂ，１３Ｗが形成されている。
【００１７】
前記複数の画素１３Ｒ，１３Ｇ，１３Ｂ，１３Ｗのうちの１／４の数の画素１３Ｒは、赤色カラーフィルタ７Ｒを備えた赤色画素、他の１／４の数の画素１３Ｇは、緑色カラーフィルタ７Ｇを備えた緑色画素、さらに他の１／４の数の画素１３Ｂは、青色カラーフィルタ７Ｂを備えた青色画素、残りの１／４の数の画素１３Ｗは、カラーフィルタを備えない白色画素であり、前記赤、緑、青及び白の各色の複数の画素１３Ｒ，１３Ｇ，１３Ｂ，１３Ｗが、交互にマトリックス状に配列させて形成されている。
【００１８】
前記カラーフィルタ７Ｒ，７Ｇ，７Ｂは、前記一対の基板２，３のいずれか一方、例えば観察側基板３の内面に形成されており、さらに前記観察側基板３の内面には、前記白色画素１３Ｗにそれぞれ対応させて、この白色画素１３Ｗの液晶層厚を、前記赤、緑、青の３色の画素１３Ｒ，１３Ｇ，１３Ｂの液晶層厚と同程度に調整するための無色の透明膜８が形成されている。
図７は前記液晶表示素子１の赤、緑、青及び白の４色の画素１３Ｒ，１３Ｇ，１３Ｂ，１３Ｗにそれぞれ前記最大階調の階調データに対応したデータ信号を供給したときの各色の画素１３Ｒ，１３Ｇ，１３Ｂ，１３Ｗから出射する赤、緑、青及び白の４色の光の分光特性を示している。
なお、前記対向電極６は、前記カラーフィルタ７Ｒ，７Ｇ，７Ｂ及び前記無色の透明膜８の上に形成されており、また、前記一対の基板２，３の内面にはそれぞれ、前記複数の画素電極５及び対向電極６を覆って配向膜９，１０が設けられている。
【００１９】
そして、前記一対の基板２，３は、予め定めた間隙を設けて対向配置され、前記複数の画素１３Ｒ，１３Ｇ，１３Ｂ，１３Ｗがマトリックス状に配列された画面領域を囲む枠状のシール材（図示せず）を介して接合されており、これらの基板２，３間の前記シール材で囲まれた領域に液晶層４が封入されている。
【００２０】
この液晶表示素子１は、前記液晶層４の液晶分子をツイスト配向させたＴＮまたはＳＴＮ型、液晶分子を基板２，３面に対して実質的に垂直に配向させた垂直配向型、液晶分子をツイストさせることなく基板２，３面に対して実質的に平行に配向させた水平配向型、液晶分子をベンド配向させるベンド配向型のいずれか、あるいは強誘電性または反強誘電性液晶表示素子であり、前記一対の偏光板１１，１２は、それぞれの透過軸の向きを、各画素１３Ｒ，１３Ｇ，１３Ｂ，１３Ｗの電極５，６間に電圧を印加しないときの表示が黒になるように設定して配置されている。
【００２１】
なお、図１に示した液晶表示素子１は、一対の基板２，３の内面それぞれに設けられた電極５，６間に電界を生じさせて液晶分子の配向状態を変化させるものであるが、それに限らず、一対の基板のいずれか一方の内面に、複数の画素を形成するための例えば櫛状の第１と第２の電極を設け、これらの電極間に横電界（基板面に沿う方向の電界）を生じさせて液晶分子の配向状態を変化させる横電界制御型のものでもよい。
【００２２】
前記液晶表示素子１は、互いに隣合う前記赤、緑、青及び白の各色１つずつの４つの画素１３Ｒ，１３Ｇ，１３Ｂ，１３Ｗを１単位とする複数の表示要素１４によりカラー画像を表示する。
【００２３】
図３〜図６はそれぞれ前記液晶表示素子１の画素配列例を示しており、これらの図では、互いに隣合う４つの画素１３Ｒ，１３Ｇ，１３Ｂ，１３Ｗにより構成された複数の表示要素１４をそれぞれ太線で囲んでいる。
【００２４】
図３に示した画素配列例は、各行毎に、赤、緑、青及び白の４色の画素１３Ｒ，１３Ｇ，１３Ｂ，１３Ｗを、同じ順序、例えば赤色画素１３Ｒ、白色画素１３Ｗ、緑色画素１３Ｇ、青色画素１３Ｂの順で交互に並べて配列したものであり、各行毎に、互いに隣合う赤、緑、青及び白の各色１つずつの４つの画素１３Ｒ，１３Ｇ，１３Ｂ，１３Ｗからなる複数の表示要素１４が構成されている。
【００２５】
図４に示した画素配列例は、各行毎に、赤、緑、青及び白の４色の画素１３Ｒ，１３Ｇ，１３Ｂ，１３Ｗを交互に、且つ奇数行と偶数行とで並び順を異ならせて配列したものであり、各行毎に、互いに隣合う赤、緑、青及び白の各色１つずつの４つの画素１３Ｒ，１３Ｇ，１３Ｂ，１３Ｗからなる複数の表示要素１４が構成されている。
【００２６】
図５に示した画素配列例は、奇数行に、赤、緑、青及び白の４色のうちの２つの色の画素、例えば赤色画素１３Ｒと白色画素１３Ｗとを交互に並べて配列し、偶数行に、前記赤、緑、青及び白の４色のうちの他の２つの色の画素、例えば緑色画素１３Ｇと青色画素１３Ｂとを交互に並べて配列したものであり、隣合う２つの行毎に、前記２つの行及び２つの列の赤、緑、青及び白の各色１つずつの４つの画素１３Ｒ，１３Ｇ，１３Ｂ，１３Ｗからなる複数の表示要素１４が構成されている。
【００２７】
図６に示した画素配列例は、各行毎に、前記赤、緑、青及び白の４色の画素１３Ｒ，１３Ｇ，１３Ｂ，１３Ｗを交互に、且つ奇数行と偶数行とで並び順を異ならせて配列するとともに、前記奇数行の画素配列と前記偶数行の画素配列とを、行方向に１／２ピッチずらしたものであり、各行毎に、互いに隣合う赤、緑、青及び白の各色１つずつの４つの画素１３Ｒ，１３Ｇ，１３Ｂ，１３Ｗからなる複数の表示要素１４が構成されている。
【００２８】
なお、前記液晶表示素子１の画素配列は、前記図３〜図６の配列に限らず、互いに隣合う赤、緑、青及び白の各色１つずつの４つの画素１３Ｒ，１３Ｇ，１３Ｂ，１３Ｗにより１つの表示要素１４を構成する配列であればよい。
【００２９】
この液晶表示素子１は、赤、緑、青及び白の４色の画素１３Ｒ，１３Ｇ，１３Ｂ，１３Ｗにより１つの表示要素１４を構成しているため、白色画素を備えず、赤、緑、青の３色の画素により１つの表示要素を構成した３色画素表示素子に比べて、画面を明るくすることができる。
【００３０】
次に、前記液晶表示素子１の駆動方法を説明すると、前記液晶表示素子１は、図１に示した駆動手段１５により、外部から入力された映像信号の赤、緑、青の３色の階調データに基づいて、前記複数の表示要素１４毎の赤、緑、青及び白の４色の画素１３Ｒ，１３Ｇ，１３Ｂ，１３Ｗを駆動するための赤、緑、青及び白の４色の駆動階調データを設定し、これらの駆動階調データにそれぞれ対応した前記４色のデータ信号を前記複数の表示要素１４の赤、緑、青及び白の４色の画素１３Ｒ，１３Ｇ，１３Ｂ，１３Ｗにそれぞれ供給することにより駆動する。
【００３１】
前記駆動手段１５は、前記液晶表示素子１の複数の走査線に順次前記ＴＦＴをオンさせるためのゲート信号を供給する走査駆動回路１６と、前記液晶表示素子１の複数のデータ線にデータ信号を供給するデータ駆動回路１７と、前記映像信号の赤、緑、青の３色の階調データに基づいて前記液晶表示素子１の複数の表示要素１４毎の赤、緑、青及び白の４色の駆動階調データを設定するための演算部１８と、前記ゲート信号に対応した電圧及び前記赤、緑、青及び白の４色の駆動階調データの階調数に対応した複数の値の電圧を生成する電源部１９と、前記走査駆動回路１６及びデータ駆動回路１７と演算部１８を制御するコントローラ２０とからなっている。
【００３２】
前記映像信号は、前記液晶表示素子１の複数の走査線を順次選択するための同期信号と、前記液晶表示素子１の各表示要素１４にそれぞれ対応した赤、緑、青の３色の階調データとを含む信号であり、前記コントローラ２０は、前記映像信号に対応して、前記同期信号を前記走査駆動回路１６とデータ駆動回路１７とに入力し、前記赤、緑、青の３色の階調データを前記演算部１８に入力する。
【００３３】
前記演算部１８は、前記コントローラ２０から入力された赤、緑、青の３色の階調データに基づいて、予め定めた条件の演算により、前記液晶表示素子１の複数の表示要素１４毎の赤、緑、青及び白の４色の駆動階調データを設定し、その設定された赤、緑、青及び白の４色の駆動階調データを前記データ駆動回路１７に供給する。
【００３４】
そして、前記走査駆動回路１６は、前記電源部１９により生成された電圧値のゲート信号を、前記コントローラ２０からの同期信号に対応して前記液晶表示素子１の複数の走査線に順次供給し、前記データ駆動回路１７は、前記演算部１８からの前記赤、緑、青及び白の４色の駆動階調データにそれぞれ対応した電圧を前記電源部１９から取り込み、これらの電圧値の赤、緑、青及び白の４色のデータ信号を、前記コントローラ２０からの同期信号に対応して前記液晶表示素子１の複数のデータ線に供給する。
【００３５】
すなわち、前記駆動手段１５は、前記液晶表示素子１の複数の画素行を前記複数の走査線へのゲート信号の供給により順次選択し、選択行の各画素１３Ｒ，１３Ｇ，１３Ｂ，１３Ｗの画素電極５に、前記演算部１８において設定された前記複数の表示要素１４毎の赤、緑、青及び白の４色の駆動階調データにそれぞれ対応した前記４色のデータ信号を前記複数の信号線及びＴＦＴを介して供給する。
【００３６】
前記赤、緑、青及び白の４色の駆動階調データは、前記演算部１８において、前記入力された赤、緑、青の階調データに基づいて、以下のように演算することによって得ることができる。
すなわち、１つの絵素の各色を定義するためのＲ，Ｇ，Ｂの各データに対する各画素の輝度の合計値に対する、Ｒ，Ｇ，Ｂ各画素の最大輝度の合計値の、前記Ｒ，Ｇ，Ｂ各画素の輝度のうちの最小の輝度率の割合に基づいて、各画素に供給するＲ，Ｇ，Ｂ，Ｗの各駆動階調データの階調が演算される。
【００３７】
ここで、前記赤、緑、青及び白の４色の画素１３Ｒ，１３Ｇ，１３Ｂ，１３Ｗの最大階調輝度は、これらの画素１３Ｒ，１３Ｇ，１３Ｂ，１３Ｗにそれぞれ最大階調値の階調データ（例えば入力された赤、緑、青の３色の階調データがそれぞれ階調値０〜６３の６４段階）に対応したデータ信号を供給したときの出射光の強度である。
【００３８】
この駆動方法において、Ｒ，Ｇ，Ｂの各画素の階調を指定するＲ，Ｇ，Ｂの各階調データＤR，ＤG，ＤBごとに、その絵素の色を定義するＲ，Ｇ，Ｂ３つの各階調データＤR，ＤG，ＤBに対応する輝度の合計値（ＲRＬmaxR＋ＲGＬmaxG＋ＲBＬmaxB）に対する、Ｒ，Ｇ，Ｂ各画素の最大輝度の合計値（ＬmaxR＋ＬmaxG＋ＬmaxB）の割合と、前記Ｒ，Ｇ，Ｂ各画素の輝度のうちの最小の輝度率Ｒminと、Ｒ，Ｇ，Ｂ各画素の最大輝度の合計値（ＬmaxR＋ＬmaxG＋ＬmaxB）に対する白画素の最大輝度ＬmaxWとを乗じた値に、各階調データＤR，ＤG，ＤBに対応する階調データ輝度率をＲR，ＲG，ＲBを加算し、これらの値から最大輝度の合計値（ＬmaxR＋ＬmaxG＋ＬmaxB）に対する白画素の輝度Ｒ’Wの割合を差し引くことによって各色の表示輝度率Ｒ’R，Ｒ’G，Ｒ’Bが得られる。表示輝度率Ｒ’R，Ｒ’G，Ｒ’Bに対応する駆動階調値Ｄ’R，Ｄ’G，Ｄ’B，Ｄ’Wを算出し、この駆動階調値Ｄ’R，Ｄ’G，Ｄ’B，Ｄ’Wに基づいて、前記Ｒ，Ｇ，Ｂ，Ｗの各色の画素を駆動することにより、Ｒ，Ｇ，Ｂの３つの各階調データＤR，ＤG，ＤBから得られた４つの駆動階調値Ｄ’R，Ｄ’G，Ｄ’B，Ｄ’Wにより前記赤、緑、青及び白の４色の画素１３Ｒ，１３Ｇ，１３Ｂ，１３Ｗにそれぞれ供給することにより、４つの画素がそれぞれ駆動される。
【００３９】
さらに詳述すると、この実施例の駆動方法は、１つの絵素の各色を定義するためのＲ，
Ｇ，Ｂの各階調データＤR，ＤG，ＤBをもとに、
Ｒ’R＝ＲR{１＋ｔＲmin（ＬmaxR＋ＬmaxG＋ＬmaxB）／（ＲRＬmaxR＋ＲGＬmaxG＋ＲB
ＬmaxB）}−Ｒ′W・ＬmaxW／（ＬmaxR＋ＬmaxG＋ＬmaxB）、
Ｒ’G＝ＲG{１＋ｔＲmin（ＬmaxR＋ＬmaxG＋ＬmaxB）／（ＲRＬmaxR＋ＲGＬmaxG＋ＲB
ＬmaxB）}−Ｒ′W・ＬmaxW／（ＬmaxR＋ＬmaxG＋ＬmaxB）、
Ｒ’B＝ＲB{１＋ｔＲmin（ＬmaxR＋ＬmaxG＋ＬmaxB）／（ＲRＬmaxR＋ＲGＬmaxG＋ＲB
ＬmaxB）}−Ｒ′W・ＬmaxW／（ＬmaxR＋ＬmaxG＋ＬmaxB）、
ただし、
Ｒ’R，Ｒ’G，Ｒ’B，Ｒ’Wは、Ｒ，Ｇ，Ｂ，Ｗの各画素へ駆動階調値Ｄ’R，Ｄ’G，
Ｄ’B，Ｄ’Wに対応する電圧を印加したときの輝度を表示輝度Ｌ’R，Ｌ’G，Ｌ’B，Ｌ
’Wとし、
Ｒ，Ｇ，Ｂ，Ｗの画素それぞれの最大階調値の輝度を最大階調輝度ＬmaxR，ＬmaxG，Ｌ
maxB，ＬmaxWとし、
前記駆動階調値Ｄ’R，Ｄ’G，Ｄ’B，Ｄ’Wに対応する電圧を印加したときの輝度率を
表示輝度率Ｒ’R＝Ｌ’R／ＬmaxR，Ｒ’G＝Ｌ’G／ＬmaxG，Ｒ’B＝Ｌ’B／ＬmaxB，Ｒ’
W＝Ｌ’W／ＬmaxWとし、
Ｒ，Ｇ，Ｂの各画素へ各階調データＤR，ＤG，ＤBに対応する電圧を印加したときの輝
度である階調データ輝度をＬR，ＬG，ＬBとし、
この階調データ輝度ＬR，ＬG，ＬBの階調データ輝度率をＲR＝ＬR／ＬmaxR，ＲG＝ＬG
／ＬmaxG，ＲB＝ＬB／ＬmaxBとし、
これら階調データ輝度率をＲR，ＲG，ＲBのうちの最小値をＲminとし、tを０以上、Ｌm
axW／（ＬmaxW＋ＬmaxG＋ＬmaxB）以下の範囲の予め定めた任意の実数値とする、
の各式を満たすように、Ｒ，Ｇ，Ｂ，Ｗの各画素へ供給する駆動階調値Ｄ’R，Ｄ’G，Ｄ
’B，Ｄ’Wが算出される。
【００４０】
この方法によれば、Ｒ，Ｇ，Ｂ，Ｗの４画素で表示するために輝度を向上させることが
でき、また同系列の色について階調値の最も小さい色の階調値と輝度を一次関数の関係に
することができ、前記Ｒ，Ｇ，Ｂ，Ｗの４画素で表示する液晶表示素子における画像表示
の違和感を低減させたることができる。
【００４１】
図３乃至図６に示した画素配列の液晶表示素子に適用した具体的な駆動方法について説
明する。この実施例において、太い実線で囲った領域の赤、緑、青、白の画素で１つの絵
素を構成している。これらの画素は、各画素に対応する階調値とその階調値に応じた電圧
が印加されることによって得られる輝度とは比例するように形成されている。したがって
、入力された階調データＤR，ＤG，ＤBに対応する各色画素の輝度率は、ＲR＝ＤR／Ｄf，
ＲG＝ＤG／Ｄf，ＲB＝ＤB／Ｄf（Ｄfは最大階調の値）で表される。
【００４２】
外部から供給されるＲＧＢの各階調値を表す階調データＤR，ＤG，ＤBから、赤、緑、
青、白の画素にそれぞれ供給する駆動階調値Ｄ’R，Ｄ’G，Ｄ’B，Ｄ’Wは、以下のよう
にして定められる。
【００４３】
すなわち、
１．階調データＤR，ＤG，ＤBがすべて０（ＤR＝ＤG＝ＤB＝０）のとき、
Ｄ’R＝Ｄ’G＝Ｄ’B＝Ｄ’W＝０
２．階調データＤR，ＤG，ＤBがすべて０（ＤR＝ＤG＝ＤB＝０）以外のとき、
駆動階調値Ｄ’Rは、
ＤR{１＋ｔＲmin（ＬmaxR＋ＬmaxG＋ＬmaxB）／（ＲRＬmaxR＋ＲGＬmaxG＋ＲBＬmaxB）
}−Ｃ’ＬmaxW／（ＬmaxR＋ＬmaxG＋ＬmaxB）、
を整数化した値に、
駆動階調値Ｄ’Gは、
ＤG{１＋ｔＲmin（ＬmaxR＋ＬmaxG＋ＬmaxB）／（ＲRＬmaxR＋ＲGＬmaxG＋ＲBＬmaxB）
}−Ｃ’ＬmaxW／（ＬmaxR＋ＬmaxG＋ＬmaxB）、
を整数化した値に、
駆動階調値Ｄ’Bは、
ＤB{１＋ｔＲmin（ＬmaxR＋ＬmaxG＋ＬmaxB）／（ＲRＬmaxR＋ＲGＬmaxG＋ＲBＬmaxB）
}−Ｃ’ＬmaxW／（ＬmaxR＋ＬmaxG＋ＬmaxB）、
を整数化した値に、
駆動階調値Ｄ’Wは、Ｃ’を整数化した値に、
ここで
Ｃ’は、
ＤR{１＋ｔＲmin（ＬmaxR＋ＬmaxG＋ＬmaxB）／（ＲRＬmaxR＋ＲGＬmaxG＋ＲBＬmaxB）
}（ＬmaxR＋ＬmaxG＋ＬmaxB）／ＬmaxW、
ＤG{１＋ｔＲmin（ＬmaxR＋ＬmaxG＋ＬmaxB）／（ＲRＬmaxR＋ＲGＬmaxG＋ＲBＬmaxB）
}（ＬmaxR＋ＬmaxG＋ＬmaxB）／ＬmaxW、
ＤB{１＋ｔＲmin（ＬmaxR＋ＬmaxG＋ＬmaxB）／（ＲRＬmaxR＋ＲGＬmaxG＋ＲBＬmaxB）
}（ＬmaxR＋ＬmaxG＋ＬmaxB）／ＬmaxW、
のうちの、最も小さい値をＤ’minとするとき、
Ｄ’minがＤf以下の場合は、その値とし、
Ｄ’minがＤfより大きい場合は、Ｄfの値とする、
の各式を満たすように、Ｒ，Ｇ，Ｂ，Ｗの各画素へ供給する駆動階調値Ｄ’R，Ｄ’G，Ｄ
’B，Ｄ’Wを算出する。
ここで、整数化とは、少数点以下を取捨五入。切捨て、あるいは切り上げ等の処理をす
ることである。
【００４４】
尚、上述した第１実施例において、Ｃ’は、Ｄ’min以下で、Ｄ’maxからＤfを引いた値以上、且つ０以上でＤf以下の範囲で任意の実数値をとるようにしても良い。
ここで、Ｄ’maxは、
ＤR{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤG{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
ＤB{１＋ｔＲmin（ＬmaxR＋ＬmaxG＋ＬmaxB）／（ＲRＬmaxR＋ＲGＬmaxG＋ＲBＬmaxB）}（ＬmaxR＋ＬmaxG＋ＬmaxB）／ＬmaxW、
のうちの、最も大きい値とする。
【００４５】
この場合、図３に示した画素配列のように、白画素が１つの絵素の中心に近い位置にあるときは、Ｃ’をなるべく大きい値に設定することにより、画像の忠実性を高めることができる。これとは逆に、白画素が１つの絵素の外側に位置するときは、Ｃ’をなるべく小さい値に設定した方が、画像の忠実性が高くなることがある。
その場合、Ｃ’は、Ｄ’maxがＤf以上のとき、Ｄ’maxからＤfを引いた値に、Ｄ’maxがＤf以下のときは、０とするのが好ましい。
【００４６】
比較例としての駆動方法を例示する。この比較例の駆動方法は、赤、緑、青及び白の４
色の画素それぞれの最大階調輝度をＬmaxR，ＬmaxG，ＬmaxB，ＬmaxW、
前記赤、緑、青の３色の画素それぞれの前記入力された赤、緑、青の３色の階調データ
に対応する輝度を駆動データ対応輝度ＬR，ＬG，ＬB、
前記赤、緑、青の３色の画素それぞれの前記最大階調輝度ＬmaxR，ＬmaxG，ＬmaxB対す
る前記駆動データ対応輝度ＬR，ＬG，ＬBの割合ＬR／ＬmaxR，ＬG／ＬmaxG，ＬB／ＲmaxB
をそれぞれ駆動データ対応輝度率ＲR，ＲG，ＲB、
入力された赤、緑、青の３色の階調データの階調値をＤR，ＤG，ＤB、前記赤、緑、青
及び白の４色の駆動階調データの階調値をＤ’R，Ｄ’G，Ｄ’B，Ｄ’Wとするとき、
複数の表示要素毎の赤、緑、青及び白の４色の駆動階調データは、
Ｄ’Rは、ＤR{１＋ｔ（１−dmax）}−Ｃ’ＬmaxW／（ＬmaxR＋ＬmaxG＋ＬmaxB）を整数
化した値、
Ｄ’GはＤG{１＋ｔ（１−dmax）}−Ｃ’ＬmaxW／（ＬmaxR＋ＬmaxG＋ＬmaxB）を整数化
した値、
Ｄ’BはＤB{１＋ｔ（１−dmax）}−Ｃ’ＬmaxW／（ＬmaxR＋ＬmaxG＋ＬmaxB）を整数化
した値、
Ｄ’WはＣ’を整数化した値、
ただし、ｔ＝１，Ｃ’は、ＤR{１＋ｔ（１−dmax）}（ＬmaxR＋ＬmaxG＋ＬmaxB）／Ｌm
axW，ＤG{１＋ｔ（１−dmax）}（ＬmaxR＋ＬmaxG＋ＬmaxB）／ＬmaxW，ＤB{１＋ｔ（１−
dmax）}（ＬmaxR＋ＬmaxG＋ＬmaxB）／ＬmaxWのうちの最も小さい値をＤ’minとするとき
、前記Ｄ’minが最大階調未満の場合はそのＤ’minを整数化した値、前記Ｄ’minが前記
最大階調以上の場合は最大階調の値とする、
の階調値にそれぞれ設定し、これらの駆動階調データにそれぞれ対応した前記４色のデー
タ信号を前記複数の表示要素の赤、緑、青及び白の４色の画素にそれぞれ供給することに
より、前記赤、緑、青及び白の４色の画素１３Ｒ，１３Ｇ，１３Ｂ，１３Ｗをそれぞれ駆
動するものである。
【００４７】
この場合、階調データの変化と輝度の変化が一次関数の関係になっていないため、違和
感のある表示になる。
【００４８】
すなわち、各階調データＤR，ＤG，ＤBと階調データ輝度ＬR，ＬG，ＬBとが、それぞれ比例しているとき、
ＤR／Ｄf＝ＬR／ＬmaxR、
ＤG／Ｄf＝ＬG／ＬmaxR、
ＤB／Ｄf＝ＬB／ＬmaxR、
であり、１つの絵素の階調データ（ＤR，ＤG，ＤB）＝（ｒｌ，ｇｌ，ｂｌ＋ｄ）であるときのその絵素の輝度をＬ（ｒｌ，ｇｌ，ｂｌ＋ｄ）、階調データ（ＤR，ＤG，ＤB）＝（ｒｌ，ｇｌ，ｂｌ）であるときのその絵素の輝度をＬ（ｒｌ，ｇｌ，ｂｌ）、階調データ（ＤR，ＤG，ＤB）＝（ｒｌ，ｇｌ，ｂｌ−ｄ）であるときのその絵素の輝度をＬ（ｒｌ，ｇｌ，ｂｌ−ｄ）、（ただし、ｒｌ≧ｇｌ≧ｂｌ＋ｄ＞ｂｌ＞ｂｌ−ｄ）とし、ＤR，ＤGが一定、ＤR≧ＤG、ＤBがＤR，ＤGに比べて小さい場合、
（ＤR，ＤG，ＤB）＝（ｒｌ，ｇｌ，ｂｌ＋ｄ）のとき、
Ｄ’R＝ｒｌ〔１＋ｔ［１−｛ｒｌ−（ｂｌ＋ｄ）｝］〕−Ｃ′ＬmaxW／（ＬmaxR＋ＬmaxG＋ＬmaxB）、
Ｄ’G＝ｇｌ〔１＋ｔ［１−｛ｒｌ−（ｂｌ＋ｄ）｝］〕−Ｃ′ＬmaxW／（ＬmaxR＋ＬmaxG＋ＬmaxB）、
Ｄ’B＝（ｂｌ＋ｄ）〔１＋ｔ［１−｛ｒｌ−（ｂｌ＋ｄ）｝］〕−Ｃ′ＬmaxW／（ＬmaxR＋ＬmaxG＋ＬmaxB）、
Ｄ’B＝Ｃ′
であり、整数化する際の誤差を無視すると、絵素の輝度Ｌ（ｒｌ，ｇｌ，ｂｌ＋ｄ）は、
Ｌ（ｒｌ，ｇｌ，ｂｌ＋ｄ）＝（Ｄ’R／Ｄf×ＬmaxR＋Ｄ’G／Ｄf×ＬmaxG＋Ｄ’B／Ｄf×ＬmaxB＋Ｄ’W／Ｄf×ＬmaxW）／４＝［｛１＋ｔ（１−ｒｌ＋ｂｌ＋ｄ）｝｛ｒｌＬmaxR＋ｇｌＬmaxG＋（ｂｌ＋ｄ）ＬmaxB｝］／４Ｄf、
となる。
【００４９】
（ＤR，ＤG，ＤB）＝（ｒｌ，ｇｌ，ｂｌ）のとき、
Ｄ’R＝ｒｌ〔１＋ｔ［１−｛ｒｌ−ｂｌ｝］〕−Ｃ’ＬmaxW／（ＬmaxR＋ＬmaxG＋ＬmaxB）、
Ｄ’G＝ｇｌ〔１＋ｔ［１−｛ｒｌ−ｂｌ｝］〕−Ｃ’ＬmaxW／（ＬmaxR＋ＬmaxG＋ＬmaxB）、
Ｄ’B＝ｂｌ〔１＋ｔ［１−｛ｒｌ−ｂｌ｝］〕−Ｃ’ＬmaxW／（ＬmaxR＋ＬmaxG＋ＬmaxB）、
Ｄ’B＝Ｃ’
であり、絵素の輝度Ｌ（ｒｌ，ｇｌ，ｂｌ）は、
Ｌ（ｒｌ，ｇｌ，ｂｌ）＝［｛１＋ｔ（１−ｒｌ＋ｂｌ）｝｛ｒｌＬmaxR＋ｇｌＬmaxG＋ｂｌＬmaxB｝］／４Ｄf、
となる。
【００５０】
（ＤR，ＤG，ＤB）＝（ｒｌ，ｇｌ，ｂｌ−ｄ）のとき、
Ｄ’R＝ｒｌ〔１＋ｔ［１−｛ｒｌ−（ｂｌ−ｄ）｝］〕−Ｃ’ＬmaxW／（ＬmaxR＋ＬmaxG＋ＬmaxB）、
Ｄ’G＝ｇｌ〔１＋ｔ［１−｛ｒｌ−（ｂｌ−ｄ）｝］〕−Ｃ’ＬmaxW／（ＬmaxR＋ＬmaxG＋ＬmaxB）、
Ｄ’B＝（ｂｌ−ｄ）〔１＋ｔ［１−｛ｒｌ−（ｂｌ−ｄ）｝］〕−Ｃ’ＬmaxW／（ＬmaxR＋ＬmaxG＋ＬmaxB）、
Ｄ’B＝Ｃ’
であり、絵素の輝度Ｌ（ｒｌ，ｇｌ，ｂｌ−ｄ）は、
Ｌ（ｒｌ，ｇｌ，ｂｌ−ｄ）＝［｛１＋ｔ（１−ｒｌ＋ｂｌ−ｄ）｝｛ｒｌＬmaxR＋ｇｌＬmaxG＋（ｂｌ−ｄ）ＬmaxB｝］／４Ｄf、
となる。
【００５１】
ここで、同系列の色において、階調値が同じだけ異なる色の輝度の比をとると、
｛Ｌ（ｒｌ，ｇｌ，ｂｌ＋ｄ）−Ｌ（ｒｌ，ｇｌ，ｂｌ）｝／｛Ｌ（ｒｌ，ｇｌ，ｂｌ）
−Ｌ（ｒｌ，ｇｌ，ｂｌ−ｄ）｝＝〔ｔ（ｒｌＬmaxR＋ｇｌＬmaxG）＋｛１＋ｔ（１−ｒ
ｌ＋２ｂｌ＋ｄ）｝ＬmaxB〕／〔ｔ（ｒｌＬmaxR＋ｇｌＬmaxG）＋｛１＋ｔ（１−ｒｌ＋
２ｂｌ−ｄ）｝ＬmaxB〕、
となり、この値は、ｄ≠０且つＬmaxR≠０であるため、ｔ＝０のとき以外には、１になら
ない。
この比の値は、上述したｒｌ≧ｇｌ≧ｂｌ＋ｄ＞ｂｌ＞ｂｌ−ｄの場合のみならず、ｒ
ｌ≧ｂｌ≧ｇｌ＋ｄ＞ｇｌ＞ｇｌ−ｄ、ｇｌ≧ｒｌ≧ｂｌ＋ｄ＞ｂｌ＞ｂｌ−ｄ、ｇｌ≧
ｂｌ≧ｒｌ＋ｄ＞ｒ１＞ｒｌ−ｄ、ｂ１≧ｒｌ≧ｇｌ＋ｄ＞ｇｌ＞ｇｌ−ｄ、ｂ１≧ｇｌ
≧ｒｌ＋ｄ＞ｒｌ＞ｒｌ−ｄの場合も同様である。
すなわち、上記比較例は、同系列の色において、赤、緑、青のうち、最も階調値の小さ
い色の階調値と輝度の関係が一次関数になっていない。
【００５２】
これに対して、この実施例の駆動方法では、階調値と輝度の関係は、上述した比較例と
同様の絵素の階調データ（ＤR，ＤG，ＤB）について、
ＲR＝ｒｌ／Ｄf、
ＲG＝ｇｌ／Ｄf、
ＲB＝（ｂ１＋ｄ）／Ｄf、
Ｒmin＝（ｂ１＋ｄ）／Ｄf
Ｄ’R＝ｒｌ［１＋ｔ（ｂｌ＋ｄ）（ＬmaxR＋ＬmaxG＋ＬmaxB）／｛ｒｌＬmaxR＋ｇｌ
ＬmaxG＋（ｂｌ＋ｄ）ＬmaxB｝］−Ｃ’ＬmaxW／（ＬmaxR＋ＬmaxG＋ＬmaxB）、
Ｄ’G＝ｇｌ［１＋ｔ（ｂｌ＋ｄ）（ＬmaxR＋ＬmaxG＋ＬmaxB）／｛ｒｌＬmaxR＋ｇｌ
ＬmaxG＋（ｂｌ＋ｄ）ＬmaxB｝］−Ｃ’ＬmaxW／（ＬmaxR＋ＬmaxG＋ＬmaxB）、
Ｄ’B＝（ｂｌ＋ｄ）［１＋ｔ（ｂｌ＋ｄ）（ＬmaxR＋ＬmaxG＋ＬmaxB）／｛ｒｌＬmax
R＋ｇｌＬmaxG＋（ｂｌ＋ｄ）ＬmaxB｝］−Ｃ’ＬmaxW／（ＬmaxR＋ＬmaxG＋ＬmaxB）、
Ｄ’G＝Ｃ’、
であり、絵素の輝度Ｌ（ｒｌ，ｇｌ，ｂｌ＋ｄ）は、
Ｌ（ｒｌ，ｇｌ，ｂｌ＋ｄ）＝（Ｄ’R／Ｄf×ＬmaxR＋Ｄ’G／Ｄf×ＬmaxG＋Ｄ’B／
Ｄf×ＬmaxB＋Ｄ’W／Ｄf×ＬmaxW）／４＝｛１＋ｔ（ｂｌ＋ｄ）（ＬmaxR＋ＬmaxG＋Ｌm
axB）｝］／４Ｄf、
同様に、絵素の輝度Ｌ（ｒｌ，ｇｌ，ｂｌ）は、
Ｌ（ｒｌ，ｇｌ，ｂｌ）＝｛１＋ｔｂｌ（ＬmaxR＋ＬmaxG＋ＬmaxB）｝／４Ｄf、
絵素の輝度Ｌ（ｒｌ，ｇｌ，ｂｌ−ｄ）は、
Ｌ（ｒｌ，ｇｌ，ｂｌ−ｄ）＝｛１＋ｔ（ｂｌ−ｄ）（ＬmaxR＋ＬmaxG＋ＬmaxB）｝／
４Ｄf、となる。
【００５３】
ここで、同系列の色において、階調値が同じだけ異なる色の輝度の比をとると、
｛Ｌ（ｒｌ，ｇｌ，ｂｌ＋ｄ）−Ｌ（ｒｌ，ｇｌ，ｂｌ）｝／｛Ｌ（ｒｌ，ｇｌ，ｂｌ）
−Ｌ（ｒｌ，ｇｌ，ｂｌ−ｄ）｝＝１、
となり、この階調値が同じだけ異なる色の輝度の比は、上述したｒｌ≧ｇｌ≧ｂｌ＋ｄ＞
ｂｌ＞ｂｌ−ｄの場合のみならず、ｒｌ≧ｂｌ≧ｇｌ＋ｄ＞ｇｌ＞ｇｌ−ｄ、ｇｌ≧ｒｌ
≧ｂｌ＋ｄ＞ｂｌ＞ｂｌ−ｄ、ｇｌ≧ｂｌ≧ｇｌ＋ｄ＞ｇ１＞ｇｌ−ｄ、ｂ１≧ｒｌ≧ｇ
ｌ＋ｄ＞ｇｌ＞ｇｌ−ｄ、ｂ１≧ｇｌ≧ｒｌ＋ｄ＞ｒｌ＞ｒｌ−ｄの場合も同様に１にな
る。
【００５４】
すなわち、実施例の駆動方法においては、同系列の色において、赤、緑、青のうち、最
も階調値の小さい色の階調値と輝度とが一次関数の関係になっており、前記Ｒ，Ｇ，Ｂ，
Ｗの４画素で表示する液晶表示素子における画像表示の違和感を低減させたることができ
る。
【００５５】
（第２実施例）
第１実施例では、各画素に対応する階調値Ｄと、その階調値Ｄに応じた電圧が印加され
ることによって得られる輝度Ｌとが比例する場合について述べたが、前記階調値Ｄと輝度
Ｌが比例せずに、輝度Ｌが階調値Ｄの関数ｆ（Ｄ）で表されるときは、下記のようにして
駆動階調値Ｄ’R，Ｄ’G，Ｄ’B，Ｄ’Wを定めることができる。
【００５６】
すなわち、Ｄ＝ｆ-１（Ｌ）の関係から、外部から供給される各階調データＤR，ＤG，ＤBをそれぞれ階調データ輝度ＬR，ＬG，ＬBに変換した後、式、
Ｌ’R／ＬmaxR＝Ｒ’R＝ＲR{１＋ｔＲmin（ＬmaxR＋ＬmaxG＋ＬmaxB）／（ＲRＬmaxR＋
ＲGＬmaxG＋ＲBＬmaxB）}−Ｃ’’ＬmaxW／（ＬmaxR＋ＬmaxG＋ＬmaxB）、
Ｌ’G／ＬmaxG＝Ｒ’G＝ＲG{１＋ｔＲmin（ＬmaxR＋ＬmaxG＋ＬmaxB）／（ＲRＬmaxR＋
ＲGＬmaxG＋ＲBＬmaxB）}−Ｃ’’ＬmaxW／（ＬmaxR＋ＬmaxG＋ＬmaxB）、
Ｌ’B／ＬmaxB＝Ｒ’B＝ＲB{１＋ｔＲmin（ＬmaxR＋ＬmaxG＋ＬmaxB）／（ＲRＬmaxR＋
ＲGＬmaxG＋ＲBＬmaxB）}−Ｃ’’ＬmaxW／（ＬmaxR＋ＬmaxG＋ＬmaxB）、
Ｌ’W／ＬmaxW＝Ｒ’W＝Ｃ’’、
ただし、
Ｒmin階調データ輝度率をＲR，ＲG，ＲBのうちの最小値、
Ｃ’’は、
ＲR{１＋ｔＲmin（ＬmaxR＋ＬmaxG＋ＬmaxB）／（ＲRＬmaxR＋ＲGＬmaxG＋ＲBＬmaxB）
}（ＬmaxR＋ＬmaxG＋ＬmaxB）／ＬmaxW、
ＲG{１＋ｔＲmin（ＬmaxR＋ＬmaxG＋ＬmaxB）／（ＲRＬmaxR＋ＲGＬmaxG＋ＲBＬmaxB）
}（ＬmaxR＋ＬmaxG＋ＬmaxB）／ＬmaxW、
ＲB{１＋ｔＲmin（ＬmaxR＋ＬmaxG＋ＬmaxB）／（ＲRＬmaxR＋ＲGＬmaxG＋ＲBＬmaxB）
}（ＬmaxR＋ＬmaxG＋ＬmaxB）／ＬmaxW、
のうちで最も小さい値をＤ’’minとするとき、
Ｄ’’minが１以下の場合は、その値、
Ｄ’’minが１より大きい場合は、１とする、
により、表示輝度Ｌ’R，Ｌ’G，Ｌ’B，Ｌ’Wを定め、その値を階調値に逆変換した後、
整数化して、前記駆動階調値Ｄ’R，Ｄ’G，Ｄ’B，Ｄ’Wを求める。
【００５７】
この第２実施例によれば、前記階調値Ｄと輝度Ｌが比例していない画素を有する表示素
子であっても、色再現性良く駆動することができる。
【図面の簡単な説明】
【００５８】
【図１】液晶表示装置の構成図。
【図２】液晶表示素子の一部分の断面図。
【図３】前記液晶表示素子の画素配列例を示す図。
【図４】前記液晶表示素子の他の画素配列例を示す図。
【図５】前記液晶表示素子の他の画素配列例を示す図。
【図６】前記液晶表示素子の他の画素配列例を示す図。
【図７】前記液晶表示素子の赤、緑、青及び白の４色の画素にそれぞれ前記最大階調の階調データに対応したデータ信号を供給したとき各色の画素から出射する赤、緑、青及び白の４色の光の分光特性図。
【符号の説明】
【００５９】
１…液晶表示素子、１３Ｒ…赤色画素、１３Ｇ…緑色画素、１３Ｂ…青色画素、１３Ｗ…白色画素、１４…表示要素、１５…駆動手段。
【図１】
0005621182.tif 000002
【図２】
0005621182.tif 000003
【図３】
0005621182.tif 000004
【図４】
0005621182.tif 000005
【図５】
0005621182.tif 000006
【図６】
0005621182.tif 000007
【図７】
0005621182.tif 000008